(57)【要約】【課題】従来のフロートを制御するだけでは、調理後ふたを開ける場合に内圧が若干残っていても、ふたが開く恐れがあったが、完全に残圧を０にすることが出来使う側にとって非常に安全になった。【解決手段】従来のスライド金具（８）一本から、スライド金具に固定され、スライド金具と動きを同じくする突起金具（１０）を付けた事により、フロート（６）制御と同時に、ふたパッキン（５）の制御も行え、ふたが本体から外れる際には、なべの中には内圧は無い常態にできた。【選択図】図５
0003123643.tif 000002
【実用新案登録請求の範囲】
【請求項１】
家庭用圧力なべは、一般的に、ふたに調圧装置と、万が一調圧装置に不具合が生じた為に起こる爆発を防止する目的に、安全装置が設けられている。
今回、この安全装置の中で、フロート式安全装置のスライド装置に係るもので、スライドの動きにより、フロートの浮上を防げ、あるいは浮上したフロートに邪魔され、スライドの動きがストップし、ふたを開けることが出来なくなるスライドの一部に、ふたのパッキンをも押すことが可能な突起金具を設けた安全装置を有する家庭用圧力なべである。
【考案の詳細な説明】
【技術分野】
【０００１】本考案は、家庭用圧力なべのフロート式安全装置に関するものである。
【背景技術】
【０００２】従来、この種の装置としては、本体取っ手のガイド溝を動くピンの先端に、スライド金具を設けた装置を、ふたの取っ手に内臓したものが一般的であり［図１］、本体にふたを組み合わせた時、本体取っ手のガイド溝に沿って動くスライドピンの上部先端のスライドが引っ込み、フロートが浮上でき、なべ内部が密閉され圧力上昇が可能になる。使用されていない場合は、スライドはスプリングによって、常時押し出された位置にあり［図１］、フロートは上昇することが出来ず、なべ内部は密閉されず、本体とふたが正常に組み合わされた時だけ、圧力上昇が起こるように設計されている。
【考案が解決しようとする課題】
【０００３】従来の製品であれば、フロートの動きを制御するだけであったので、フロートが必ずしも上昇して内部を密閉しなくても、使用する熱源カロリーが高い現在、フロート部分から漏れながらも、［図２］において、フロートとフロートを支えるケースの隙間だけのギャップでは５ＫＰａ程度の圧力上昇が起こり、ふたを開ければ、内容物が飛散する恐れも考えられる。
従って、今回の課題は、ふたが本体から外れる時点では、内部の圧力が完全に除去される事にある。
【課題を解決するための手段】
【０００４】上記課題を達成するため、本考案では、スライドの動きに合わせふたのパッキンを押す事を考え、スライド金具の一部に、パッキンを押せる突起金具を取り付けることにした。［図３］、［図４］。
こうすることにより、本体とふたが組み合わされても、完全にスライドが引っ込まない限り、突起金具がパッキンを押し続け、フロートだけの場合と違い、機密を妨害する面積が広く、しかも、［図８］において、ふたと本体及びふたパッキングの寸法関係には、内圧が生じた場合、１ｍｍ以上のすきまがあり、いくらハイカロリーの熱源でも圧力上昇は起こらない。
【考案を実施するための最良の形態】
【０００５】［図３］、［図４］において、パッキンを押す突起金具は、ステンレス板等でプレス成形し、スライド金具の一部にスポット溶接などで固定する。
このスライド金具とピン、および突起金具の一体物はふた取っ手の中に装備され、常時スプリングによって、ふたの中央に向かって押し出されている［図５］。この図にあるように、ふたが本体に組み合わされると、本体取っ手に加工された溝に沿って、スライドピンの下端が本体取っ手の入口からＢ点までは、スライド金具および突起金具は、最大出たままで圧力上昇は不可能であり、さらに進んで、ふたが完全に本体に組み合わされた時（スライドピンの下端がＣ点）、なべ内部は機密になり、圧力上昇も可能になる。
反対に、ふたを開ける場合、フロートが落ちないとふたは開けられない（スライド金具の先端がフロートの側面に当たり、スライドピンも前に移動できず、［図８］のＤ点でストップされる）。フロートが落ちて、ふたを開ける動作をして、さきのＢ点まで来ると、ふたのパッキンを押す突起金具は完全にパッキンを押し出し、ピンの下端が本体取っ手の溝の入口Ａ点を外れるまで、圧力が上昇する事は起こらない。
【考案の効果】
【０００６】本考案は上述のとおり構成されているので、次に掲げる効果を奏する。
本体取っ手以外の場所では、圧力は上昇しない。
また本体と正しい組合せが行われる時でも、本体取っ手の半分の箇所（ふたと本体のお互いの爪の噛み合わせも半分）までは、圧力の上昇は起こらないので安全である。（圧力なべの安全基準に適合）
【図面の簡単な説明】
【０００７】
【図１】従来のフロート式安全装置の組立断面図
【図２】スライド金具に邪魔されて、フロートが浮上出来ない時の断面図
【図３】突起金具（単体）のスケッチ
【図４】突起金具をスライド金具にスポット溶接で固定したスケッチ
【図５】突起金具によって、ふたパッキンを押し出している状態の断面図
【図６】ふたと本体が正常に組み合わされた状態で、内圧が発生して、フロートが浮上した時の断面図
【図７】本体取っ手の、ふた取っ手に内蔵されたフロート式安全装置の、スライドピンのガイド溝のスケッチ
【図８】ふた及びパッキンと本体を組み合わせ、圧力が上昇した場合の寸法関係を、パッキンを押し出した状態にした断面図（蒸気の抜ける様を確認するため）
【符号の説明】
【０００８】  Ａ  本体取っ手のふたのスライドピンのガイド溝の入口
Ｂ  同上の中間点
Ｃ  同上の最終点
Ｄ  同上の、内部に残圧がある場合の、スライドピンの移動止め点
１  本体
２  ふた
３  ふた取っ手
４  本体取っ手
５  ふたパッキン
６  フロート
７  フロート支持ケース
８  スライド金具
９  スライドピン
１０  突起金具
１１  スライドスプリング
１２  スライドピンガイド溝
【図１】
0003123643.tif 000003
【図２】
0003123643.tif 000004
【図３】
0003123643.tif 000005
【図４】
0003123643.tif 000006
【図５】
0003123643.tif 000007
【図６】
0003123643.tif 000008
【図７】
0003123643.tif 000009
【図８】
0003123643.tif 000010
【手続補正書】
【提出日】平成18年4月21日(2006.4.21)
【手続補正１】
【補正対象書類名】実用新案登録請求の範囲
【補正対象項目名】全文
【補正方法】変更
【補正の内容】
【実用新案登録請求の範囲】
【請求項１】
家庭用圧力なべの安全装置で、フロート式タイプでしかもスライド金具を有し、このスライド金具により、フロートを制御する安全装置において、スライドを構成する部品の一部であるスライドピンに、ふたの内部に設けられているふたパッキンをも押すことが可能な突起金具を設けた安全装置を有する事を特徴とする圧力なべである。
【手続補正２】
【補正対象書類名】図面
【補正対象項目名】全文
【補正方法】変更
【補正の内容】
【書類名】  図面
【図１】
0003123643.tif 000011
【図２】
0003123643.tif 000012
【図３】
0003123643.tif 000013
【図４】
0003123643.tif 000014
【図５】
0003123643.tif 000015
【図６】
0003123643.tif 000016
【図７】
0003123643.tif 000017
【図８】
0003123643.tif 000018